(57)【要約】【課題】既存の傘の石突部に取り付けて、傘を安定した状態で自立させることができる傘立てを提供する。【解決手段】傘立て１１は、中央部に中央孔１２を有する筒部１３と筒部の下部側に連設する複数本の脚部１４とからなるスタンド本体１５と、中央孔に嵌合し、石突部を保持するための筒形のアタッチメント１７とからなり、スタンド本体は、中央孔を中心にして前記複数本の脚部が等間隔で放射状に設けられており、アタッチメントの内周には、石突部に圧接して保持するための弾性を有する突起部２０が複数本形成されている。【選択図】図２
0003210671.tif 000002
【実用新案登録請求の範囲】
【請求項１】
傘の石突部に取り付けて、傘を安定した状態で自立させることができる取付式の傘立てにおいて、
該傘立ては、
中央部に中央孔を有する筒部と、該筒部の下部側に連設する複数本の脚部とからなるスタンド本体と、
前記中央孔に嵌合し、前記石突部を保持するための筒形のアタッチメントとから少なくともなり、
前記スタンド本体は、前記中央孔を中心にして前記複数本の脚部が等間隔で放射状に設けられており、
前記アタッチメントの内周には、前記石突部に圧接して保持するための弾性を有する突起部が複数本形成されていること
を特徴とする傘立て。
【請求項２】
前記脚部は、外側に膨出して湾曲状に形成されると共に、下部に行くにしたがって前記中央孔の中心からの延長線に対して拡開した形状に形成されていること
を特徴とする請求項１に記載の傘立て。
【請求項３】
前記中央孔は、下部に行くにしたがって縮径してテーパー状に形成されており、
前記アタッチメントの外周面は、下部に行くにしたがって縮径してテーパー状に形成されていること
を特徴とする請求項１に記載の傘立て。
【請求項４】
前記アタッチメントの外周面には、周方向に沿って複数本の脱落防止用の溝部が形成されていること
を特徴とする請求項３に記載の傘立て。
【請求項５】
前記中央孔の内周には、縦方向に沿って複数本の水抜き用の縦溝が形成されており、
前記アタッチメントの上端は、前記中央孔の縁部の上端よりもやや低めに位置していること
を特徴とする請求項１に記載の傘立て。
【請求項６】
前記スタンド本体の脚部の下端には、外周側に行くにつれて上方に湾曲するＵ字状部が形成され、該Ｕ字状部に接地面を備えること
を特徴とする請求項１に記載の傘立て。
【請求項７】
前記脚部の下端には、床面に吸着させるための吸盤が設けられていること
を特徴とする請求項１に記載の傘立て。
【考案の詳細な説明】
【技術分野】
【０００１】
本考案は、傘立てに関するものであり、更に詳しくは、既存の傘の石突部に取り付けて、畳んだ傘を安定した状態で自立させることができる、取付式の傘立てに関するものである。
【背景技術】
【０００２】
従来、この種の傘立てとしては、実用新案登録第３２０４０１１号公報に開示された着脱式傘立てが知られている。この着脱式傘立ては、ゴム製の筒体と、筒体の底部に設けられるアクリル板等のプレートとからなり、筒体は、中央部分に傘の石突部を差し込む孔部が設けられており、また、孔部の周囲に複数本の縦スリットが形成された構成である（特許文献１参照）。
【０００３】
このような構成の着脱式傘立ては、孔部に傘の石突部を差し込んで装着し、畳んだ傘を床面に自立させることができる。また、プレートを足で踏んで押さえれば、電車内等の揺れる場所でも傘を直立した状態に維持できる。そして、降雨時には、石突部を傘立てに差し込んだ状態で傘を差すことができる。
【先行技術文献】
【特許文献】
【０００４】
【特許文献１】実用新案登録第３２０４０１１号公報
【考案の概要】
【考案が解決しようとする課題】
【０００５】
この従来例の着脱式傘立てにおいては、孔部の直径寸法に合致したサイズの石突部だけしか装着できない。つまり、様々なサイズの石突部の傘に対応できないというという問題点を有している。
【０００６】
それに加えて、孔部は、ゴム材の弾性力で石突部の差し込み状態を維持するので、孔部の内周面に雨水が染み込むと滑りやすくなり、その結果、石突部が孔部からすっぽ抜けるおそれがあるという問題点を有している。
【０００７】
さらに、プレートは、アクリルや金属等で板状に形成されているので、滑りやすくて安定性が悪い。特に、凹凸のある床面においては、ふらついて不安定な状態になり、倒れるおそれがあるという問題点を有している。
【０００８】
従って、従来例における着脱式傘立てにおいては、様々なサイズの石突部の傘に対応できるようにすることに必須の解決課題を有している。さらに、石突部の装着を確実にして脱落しないことと、安定した状態に傘が自立できて、多少の凹凸のある床面であっても倒れないこととに、解決すべき課題を有している。
【課題を解決するための手段】
【０００９】
前記従来例の課題を解決するための本考案の要旨は、傘の石突部に取り付けて、傘を安定した状態で自立させることができる取付式の傘立てにおいて、該傘立ては、中央部に中央孔を有する筒部と、該筒部の下部側に連設する複数本の脚部とからなるスタンド本体と、前記中央孔に嵌合し、前記石突部を保持するための筒形のアタッチメントとから少なくともなり、前記スタンド本体は、前記中央孔を中心にして前記複数本の脚部が等間隔で放射状に設けられており、前記アタッチメントの内周には、前記石突部に圧接して保持するための弾性を有する突起部が複数本形成されていることである。
【００１０】
また、前記脚部は、外側に膨出して湾曲状に形成されると共に、下部に行くにしたがって前記中央孔の中心からの延長線に対して拡開した形状に形成されていること、；
前記中央孔は、下部に行くにしたがって縮径してテーパー状に形成されており、前記アタッチメントの外周面は、下部に行くにしたがって縮径してテーパー状に形成されていること、；
前記アタッチメントの外周面には、周方向に沿って複数本の脱落防止用の溝部が形成されていること、；
前記中央孔の内周には、縦方向に沿って複数本の水抜き用の縦溝が形成されており、前記アタッチメントの上端は、前記中央孔の縁部の上端よりもやや低めに位置していること、；
前記スタンド本体の脚部の下端には、外周側に行くにつれて上方に湾曲するＵ字状部が形成され、該Ｕ字状部に接地面を備えること、；
前記脚部の下端には、床面に吸着させるための吸盤が設けられていること、；
を含むものである。
【考案の効果】
【００１１】
本考案に係る傘立てによれば、既存の傘の石突部に取り付けて、畳んだ傘を安定した状態で自立させることができる。また、多少の凹凸のある床面であっても安定的に自立するので傘が倒れない。
アタッチメントの内周には、石突部に圧接して保持するための弾性を有する突起部が複数本形成されていることによって、石突部をアタッチメントに差し込んだときに、突起部が潰れた状態で石突部に圧接する。従って、様々なサイズの石突部を装着できることとなり、既存の傘に広く対応できる。そして、石突部の保持状態が確実であり、傘立てがすっぽ抜けて脱落することがない。
このように、殆どの既存の傘に後付けできるので、わざわざ傘を買い替える必要がない。そして、店頭のレジでの支払時や携帯電話をバッグから取り出したい時など、少しだけ傘から手を話したい時などに重宝である。
また、傘立ては、取付式ではあるが、スタンド本体の小径化を実現可能な構成であるため、降雨時に店頭等に設置されるビニール製の傘袋に収納する時など、わざわざ取り外さなくても傘袋に収納可能であるので使い勝手が良好であるという種々の優れた効果を奏する。
【００１２】
脚部は、外側に膨出して湾曲状に形成されると共に、下部に行くにしたがって中央孔の中心からの延長線に対して拡開した形状に形成されていることによって、傘を安定した状態で自立させることができるという優れた効果を奏する。
【００１３】
中央孔は、下部に行くにしたがって縮径してテーパー状に形成されており、アタッチメントの外周面は、下部に行くにしたがって縮径してテーパー状に形成されていることによって、スタンド本体とアタッチメントとの芯が出るという優れた効果を奏する。
【００１４】
アタッチメントの外周面には、周方向に沿って複数本の脱落防止用の溝部が形成されていることによって、アタッチメントの嵌合状態が強固で脱落しないという優れた効果を奏する。
【００１５】
中央孔の内周には、縦方向に沿って複数本の水抜き用の縦溝が形成されており、アタッチメントの上端は、中央孔の縁部の上端よりもやや低めに位置していることによって、縦溝から雨水が排水されるので、傘立ての上部に雨水が溜まらない。この場合、アタッチメントの上端が中央孔の縁部の上端よりもやや低めに位置しているので、水が縦溝の入口付近に集中し易くなり、その結果、排水が良好になされるという優れた効果を奏する。
【００１６】
スタンド本体の脚部の下端には、外周側に行くにつれて上方に湾曲するＵ字状部が形成され、そのＵ字状部に接地面を備えることによって、接地面が広くなり脚部に弾性があるので、傘を自立させた状態の安定性がさらに向上する。従って、多少の凹凸のある床面であっても安定的に自立して傘が倒れないという優れた効果を奏する。
【００１７】
脚部の下端には、床面に吸着させるための吸盤が設けられていることによって、吸盤を平滑な床面に吸着させることにより、傘を自立させた状態の安定性が飛躍的に向上するという優れた効果を奏する。
【図面の簡単な説明】
【００１８】
【図１】本考案に係る傘立ての斜視図である。
【図２】スタンド本体とアタッチメントとを分離して示す斜視図である。
【図３】本考案に係る傘立ての正面図である。
【図４】本考案に係る傘立ての右側面図である。
【図５】本考案に係る傘立ての平面図である。
【図６】図５のＡ−Ａ線断面図である。
【図７】アタッチメントの斜視図である。
【図８】傘立ての使用状態を示す斜視図である。
【図９】傘立ての使用状態の要部を示す斜視図である。
【図１０】第２実施例の傘立ての斜視図である。
【図１１】第２実施例の傘立ての縦断面図である。
【図１２】第２実施例の傘立ての使用状態の要部を示す斜視図である。
【図１３】第３実施例の傘立ての正面図である。
【考案を実施するための形態】
【００１９】
次に、本考案の実施の形態について図面を参照しながら説明する。まず、図１及び図２において、符号１１は傘立てを示し、この傘立て１１は、中央部に中央孔１２を有する筒部１３と該筒部１３の下部側に連設する複数本の脚部１４とからなるスタンド本体１５と、中央孔１２に嵌合し傘の石突部１６（図９参照）を保持するための筒形のアタッチメント１７とから構成される。
【００２０】
スタンド本体１５は、硬質ゴム材等で一体に形成されており、図５に示すように、筒部１３の下部側に中央孔１２を中心にして複数本の脚部１４が等間隔で放射状に設けられている。
【００２１】
中央孔１２は、図６に示すように、下部に行くにしたがって縮径してテーパー状に形成されている。また、中央孔１２の内周には、図１及び図２に示すように、縦方向に沿って複数本の水抜き用の縦溝１８が形成されている。
【００２２】
脚部１４は、図６に示すように、外側に膨出して湾曲状部１４ａが形成されると共に、下部１４ｂ側に行くにしたがって、中央孔１２の中心からの延長線２３に対して拡開した形状に形成されている。なお、対向する下部１４ｂ同士の間の寸法Ｌ１は、一例を上げれば約６０〜８０ｍｍ程度が望ましい。
【００２３】
アタッチメント１７は、硬質ゴム材又はシリコン材等で筒形に形成されており、図７に示すように、その内周１９には、弾性を有する半円形状の突起部２０が縦方向に沿って複数本形成されている。
【００２４】
このように、アタッチメント１７の内周１９に突起部２０が存在することによって、石突部１６をアタッチメント１７に差し込んだときに、突起部２０が潰れた状態で石突部１６に圧接する。従って、様々なサイズの石突部１６をアタッチメント１７に装着できて、既存の傘に広く対応できる。また、石突部１６の保持状態が確実になり、傘立て１１が脱落しない。
【００２５】
なお、アタッチメント１７の内径寸法は、一例を上げれば約１４〜２２ｍｍ程度が望ましい。また、突起部２０の突出寸法は、一例を上げれば約４ｍｍ程度が望ましい。内径寸法と突出寸法とがこれらの長さであれば、石突部１６の直径が約１０〜２２ｍｍ程度の場合に装着が可能であって、この場合は既存の殆ど全ての傘に装着することができるのである。
【００２６】
突起部２０の形状は、図７に示す半円形状に限定されることはなく、例えば、板状、柱状、波状等の種々な形であってもよい。要するに、石突部１６の様々なサイズに対応できて、石突部１６の保持状態が確実であれば良いのである。
【００２７】
アタッチメント１７の外周面２１は、図７に示すように、下部に行くにしたがって縮径してテーパー状に形成されると共に、周方向に沿って複数本の脱落防止用の溝部２２が形成されている。
このように、アタッチメント１７の外周面２１をテーパー状に形成し、溝部２２が形成されることによって、スタンド本体１５とアタッチメント１７との芯が出るだけでなく、アタッチメント１７の嵌合状態が確実で脱落することがない。
【００２８】
アタッチメント１７の上端１７ａは、図１及び図６に示すように、中央孔１２の縁部１２ａの上端よりもやや低め（約１ｍｍ程度低め）に位置している。
このように、アタッチメント１７の上端１７ａが中央孔１２の縁部１２ａの上端よりもやや低めに位置することによって、雨水が縦溝１８の入口付近に集中し易くなり、その結果、縦溝１８からの雨水の排水が良好になされる。
【００２９】
次に、他の実施例について説明する。図１０から図１２に示す第２実施例の傘立て３１は、スタンド本体３２の脚部３３が、弾性を持って形成されると共に、その下端に、外周側に行くにつれて上方に湾曲する縦断面Ｕ字型のＵ字状部３４が形成されて、湾曲状で幅広の接地面３５を備える。
このように、Ｕ字状部３４が形成され脚部３３に弾性があるため、傘２４を自立させた状態の安定性が向上する。その結果、多少の凹凸のある床面であっても傘２４が安定的に自立して倒れない。
【００３０】
次に、図１３に示す第３実施例の傘立て４１は、脚部１４の下端に吸盤４２が設けられている。この吸盤４２を平滑な床面に吸着させることによって、傘を自立させた状態の安定性が飛躍的に向上する。
【００３１】
以上のように構成される傘立て１１は、図８及び図９に示すように、既存の傘２４の石突部１６に取り付けて、傘２４を安定した状態で自立させることができる。
このように既存の傘２４に後付けできるので、わざわざ傘を買い替える必要がない。また、店頭のレジでの支払時や携帯電話をバッグから取り出したい時など、少しだけ傘から手を話したい時などに重宝である。
【００３２】
スタンド本体１５は、中央孔１２を中心にして複数本の脚部１４が等間隔で放射状に設けられ、脚部１４は、外側に膨出して湾曲状部１４ａに形成されて、下部１４ｂ側に行くにしたがって拡開した形状に形成されているので、自立状態が安定的であり、多少の凹凸のある床面であっても傘２４が倒れない。
そして、傘立て１１は、取付式ではあるが、スタンド本体１５の小径化を実現可能な構成であるため、降雨時に店頭等に設置されるビニール製の傘袋に収納する時など、わざわざ取り外さなくても傘袋に収納可能であるので使い勝手が良好である。
【符号の説明】
【００３３】
１１  傘立て
１２  中央孔
１２ａ縁部
１３  筒部
１４  脚部
１４ａ湾曲状部
１４ｂ下部
１５  スタンド本体
１６  石突部
１７  アタッチメント
１７ａ上端
１８  縦溝
１９  内周
２０  突起部
２１  外周面
２２  溝部
２３  延長線
２４  傘
３１  第２実施例の傘立て
３２  スタンド本体
３３  脚部
３４  Ｕ字状部
３５  接地面
４１  第３実施例の傘立て
４２  吸盤
【図１】
0003210671.tif 000003
【図２】
0003210671.tif 000004
【図３】
0003210671.tif 000005
【図４】
0003210671.tif 000006
【図５】
0003210671.tif 000007
【図６】
0003210671.tif 000008
【図７】
0003210671.tif 000009
【図８】
0003210671.tif 000010
【図９】
0003210671.tif 000011
【図１０】
0003210671.tif 000012
【図１１】
0003210671.tif 000013
【図１２】
0003210671.tif 000014
【図１３】
0003210671.tif 000015